(57)【要約】【課題】本発明は、施工性が良く、簡略な構成で階高を変更できる可変階高式構造物を提供する。【解決手段】可変階高式構造物１は、構造躯体２と可変床５と吊り材８により構成される。構造躯体２の内方には、水平に配置された可変床５が高さ方向に複数配置されている。可変床５は、直上に位置する他の可変床５、もしくは直上に位置する構造躯体２の頂部梁４に、吊り材８を介して吊り支持されており、吊り材８は、長さ方向の伸縮を制御できる伸縮調整機構８ａを有している。このような構成の可変階高式構造物１は、吊り材８の部材長を伸縮調整機構８ａを介して伸長もしくは短縮することにより、可変床５を所望の水平高さに容易に変更できる。したがって、所定の階層の階高を短縮したい際には、階層の可変床５を支持している吊り材８の部材長を伸縮調整機構８ａを介して短縮すれば良い。【選択図】  図１
2004339745.tif 000002
【特許請求の範囲】
【請求項１】
複数の柱、及び隣り合う柱の上端部どうしに架け渡される複数の頂部梁により構成される構造躯体と、
該構造躯体の内方で、高さ方向に所定の離間間隔をもって水平に配置される複数の可変床と、
該可変床を吊り支持するための吊り材とを備えてなり、
前記可変床が、その直上に位置する可変床もしくは直上に位置する構造躯体の頂部梁に吊り材を介して吊り支持されるとともに、
前記吊り材が、その部材長を伸縮調整自在に構成されることを特徴とする可変階高式構造物。
【請求項２】
複数の柱、及び隣り合う柱の上端部どうしに架け渡される複数の頂部梁により構成される構造躯体と、
該構造躯体の全高と同様の部材長を有し、所定の高さ位置に脱着可能な床支持部材が複数備えられた状態で、構造躯体を構成する梁の下面から鉛直下方に垂設される複数の吊り材と、
前記構造躯体の内方で、高さ方向に所定の離間間隔をもって水平に配置され、吊り材の垂設位置と鉛直同軸位置に貫通孔が設けられている複数の可変床とを備えてなり、
該可変床が、前記貫通孔に吊り材を挿通した状態で、その下面を前記床支持部材に支持されることを特徴とする可変階高式構造物。
【請求項３】
請求項１または２に記載の可変階高式構造物において、
前記可変床の端面と向かい合う前記構造躯体を構成する柱の側面には、該柱の長さ方向に延在し、側面に直交して突出するガセットプレートを備える柱取合い部材が設置されるとともに、
前記可変床の端面で該柱の側面と向かい合う位置には、鉛直方向に立設するとともに、可変床の端面に直交して突出するガセットプレートを備える床取合い部材が設置されており、
前記柱取合い部材及び床取り合い板が面どうしで当接するように、前記可変床を前記構造躯体の内方に配置し、両者を締結手段を介して締結することを特徴とする可変階高式構造物。
【請求項４】
複数の柱、及び隣り合う柱の上端部どうしに架け渡される複数の頂部梁により構成される構造躯体と、
該構造躯体の内方で、高さ方向に所定の離間間隔をもって水平に複数配置され、隣り合う前記柱の側面に両端面を当接するように配置される複数の可変梁、及び複数の該可変梁の上部に配置される床スラブ本体により構成される可変床と、
該可変床を吊り支持する吊り材とを備えてなり、
前記柱の側面には、鉛直方向同軸上で上方に、側面と平行な方向に回転する第１の滑車、下方にアンカの組み合わせが、少なくとも前記可変梁の幅より大きい離間間隔をもって対をなして配置されるとともに、前記可変梁の端部近傍には、上端面にフック、両側面各々より水平に突出した位置には、前記可変梁の長さ方向に回転する第２の滑車が設置され、
前記可変梁が、前記第１の滑車とアンカとの中間高さで、かつ第２の滑車が前記アンカと鉛直方向同軸上となる位置に配置された状態で、緊張力を付与された吊り材の一端が前記フックに固定され、第１の滑車及び第２の滑車を経由し、他端が前記アンカに固定されており、
前記吊り材が、緊張力を一定に保持した状態で、その長さを伸縮調整自在に構成されることを特徴とする可変階高式構造物。
【発明の詳細な説明】
【０００１】
【発明の属する技術分野】
本発明は、階高を自在に変更することの可能な可変階高式構造物に関する。
【０００２】
【従来の技術】
従来より、構造物には、例えば、特許文献１に示すように、地上階で床版を製作し、あらかじめ構築した柱等に設けた揚重手段によって同柱をガイドとして上階へ揚重して躯体を構築する構造物が築造されている。このような構造物は、所定の高さ位置に揚重された床スラブを前記柱に剛に接合する場合が多く、構築後の階高変更に対応できない。
【０００３】
【特許文献１】
特開平０３−５９２４５号公報（ｐ２、図１参照）
【０００４】
【発明が解決しようとする課題】
しかし、構造物には、構築後においても用途や機能を変更可能な構成や、長期間に渡り、利用者にとって良好な状態を保持することが求められており、用途や機能を変更可能なフリープラン型の構造が求められている。
【０００５】
上記事情に鑑み、本発明は、施工性が良く、簡略な構成で階高を変更できる可変階高式構造物を提供することを目的としている。
【０００６】
【課題を解決するための手段】
請求項１記載の可変階高式構造物は、複数の柱、及び隣り合う柱の上端部どうしに架け渡される複数の頂部梁により構成される構造躯体と、該構造躯体の内方で、高さ方向に所定の離間間隔をもって水平に配置される複数の可変床と、該可変床を吊り支持するための吊り材とを備えてなり、前記可変床が、その直上に位置する可変床もしくは直上に位置する構造躯体の頂部梁に吊り材を介して吊り支持されるとともに、前記吊り材が、その部材長を伸縮調整自在に構成されることを特徴としている。
【０００７】
請求項２記載の可変階高式構造物は、複数の柱、及び隣り合う柱の上端部どうしに架け渡される複数の頂部梁により構成される構造躯体と、該構造躯体の全高と同様の部材長を有し、所定の高さ位置に脱着可能な床支持部材が複数備えられた状態で、構造躯体を構成する梁の下面から鉛直下方に垂設される複数の吊り材と、前記構造躯体の内方で、高さ方向に所定の離間間隔をもって水平に配置され、吊り材の垂設位置と鉛直同軸位置に貫通孔が設けられている複数の可変床とを備えてなり、該可変床が、前記貫通孔に吊り材を挿通した状態で、その下面を前記床支持部材に支持されることを特徴としている。
【０００８】
請求項３記載の可変階高式構造物は、前記可変床の端面と向かい合う前記構造躯体を構成する柱の側面には、該柱の長さ方向に延在し、側面に直交して突出するガセットプレートを備える柱取合い部材が設置されるとともに、前記可変床の端面で該柱の側面と向かい合う位置には、鉛直方向に立設するとともに、可変床の端面に直交して突出するガセットプレートを備える床取合い部材が設置されており、前記柱取合い部材及び床取り合い板が面どうしで当接するように、前記可変床を前記構造躯体の内方に配置し、両者を締結手段を介して締結することを特徴としている。
【０００９】
請求項４記載の可変階高式構造物は、複数の柱、及び隣り合う柱の上端部どうしに架け渡される複数の頂部梁により構成される構造躯体と、該構造躯体の内方で、高さ方向に所定の離間間隔をもって水平に複数配置され、隣り合う前記柱の側面に両端面を当接するように配置される複数の可変梁、及び複数の該可変梁の上部に配置される床スラブ本体により構成される可変床と、該可変床を吊り支持する吊り材とを備えてなり、前記柱の側面には、鉛直方向同軸上で上方に、側面と平行な方向に回転する第１の滑車、下方にアンカの組み合わせが、少なくとも前記可変梁の幅より大きい離間間隔をもって対をなして配置されるとともに、前記可変梁の端部近傍には、上端面にフック、両側面各々より水平に突出した位置には、前記可変梁の長さ方向に回転する第２の滑車が設置され、前記可変梁が、前記第１の滑車とアンカとの中間高さで、かつ第２の滑車が前記アンカと鉛直方向同軸上となる位置に配置された状態で、緊張力を付与された吊り材の一端が前記フックに固定され、第１の滑車及び第２の滑車を経由し、他端が前記アンカに固定されており、前記吊り材が、緊張力を一定に保持した状態で、その長さを伸縮調整自在に構成されることを特徴としている。
【００１０】
【発明の実施の形態】
本発明の可変階高式構造物は、柱と頂部梁よりなる構造躯体の内方に配置される可変床を、直上に位置する他の可変梁、構造躯体を構成する頂部梁、または柱に吊り材を介して吊り支持させ、該吊り材の部材長を自在に調整できる構成とすることにより、簡略な構成で階高を変更することができるものである。
【００１１】
（第１の実施の形態）
図１（ａ）に示すように、可変階高式構造物１は、構造躯体２と可変床５と吊り材８により構成されている。構造躯体２は、所定の離間間隔をもって鉛直状に立設された複数の柱３と、隣り合う柱３の上端部同士を架け渡すように配置された複数の頂部梁４を備えている。また、該構造躯体２の内方には、高さ方向に所定の離間間隔をもって、水平に配置された複数の可変床５が配置されている。
【００１２】
該可変床５は、その平面視形状が前記構造躯体２の内断面と略同一形状に形成されており、可変床５の外縁が、構造躯体２を構成する柱３の側面に当接する構成となっており、水平力を作用されても構造躯体２の内方を水平方向に移動することはない。これら可変床５は、直上に位置する他の可変床５、もしくは直上に位置する構造躯体２の頂部梁４に、吊り材８を介して吊り支持されている。
該吊り材８は、前記頂部梁４及び可変床５の下面より垂設されており、複数の可変床５及び該可変床５各々に発生すると想定される鉛直荷重を支持するに十分な強度を有する部材により構成されている。また、例えば、該吊り材８を巻き取る巻き取り器のような、吊り材８の長さ方向の伸縮を制御できる伸縮調整機構８ａを有している。
【００１３】
このような構成の可変階高式構造物１は、前記吊り材８の部材長を伸縮調整機構８ａを介して伸長もしくは短縮することにより、可変床５を所望の水平高さに容易に変更できる。したがって、所定の階層の階高を短縮したい際には、該階層の可変床５を支持している前記吊り材８の部材長を伸縮調整機構８ａを介して短縮すれば良く、また、階高を伸長したい際には、該階層の可変床５を支持している前記吊り材８の部材長を伸縮調整機構８ａを介して伸長すれば良い。
【００１４】
なお、本実施の形態では、前記可変床５の一辺に対してその両端部近傍を吊り支持するよう、２本の吊り材８が備えられているが、その位置や本数は必ずしもこれにこだわるものではなく、前記可変床５を水平に維持できる構成に吊り支持されれば、何れを用いても良い。
【００１５】
上述する構成によれば、可変階高式構造物１は、階高を変更したい階層を構成している可変床５を吊り支持している吊り材８の部材長を調整するのみの簡略な構成で、階高を変更したい階層の下方に位置するすべての可変床５が、連動してその水平レベルを上下方向の何れかに移動されるものの、所定の階層の階高を自在に変更することが可能となる。
【００１６】
（第２の実施の形態）
ところで、前記可変床５を吊り材８に吊り支持させる構成は、必ずしも上述する構成にこだわるものではない。以下に、他の事例を示す。なお、前記構造躯体２及び可変床５は、第１の実施の形態と同様の構成を有するものである。
【００１７】
図１（ｂ）に示すように、前記構造躯体２には、前記頂部梁４の下面より、構造躯体２の全高とほぼ同様の部材長を有する吊り材８が垂設されている。該吊り材８は、第１の実施の形態と同様の部材よりなるが、所定の高さ位置に複数の床支持部材９が脱着自在に備えられている。
該床支持部材９は、上端面が前記可変床５の下面と面どうしで接することのできる水平面に形成されており、該水平面で可変床５を支持した際にも、吊り材８の長さ方向に移動することがないよう、吊り材８に対して嵌着されている。
【００１８】
一方、前記可変床５には、前記吊り材８の垂設位置と鉛直方向で同軸となる位置に、貫通孔５ａが備えられており、該貫通孔５ａに吊り材８を貫通した状態で、吊り材８に取り付けられた床支持部材９に下面を支持されることにより、可変床５は、構造躯体２の内方で所定の高さ位置に配置されている。
【００１９】
このような構成の可変階高式構造物１は、先にも述べたように前記床支持部材９が、吊り材８に対して脱着可能な構成を有していることから、該床支持部材９を吊り材８から取り外し、吊り材８をガイドとして上下方向に前記可変床５を移動させた後、再度所望の高さ位置に床支持部材９取り付けて可変床５を支持させることにより、可変床５を所望の水平高さに変更できる。
したがって、例えば、所定の階層の階高を伸長したい際には、所定の階層に、前記床支持部材９に代わって可変床５を支持でき、該可変床５を上下方向に水平移動できる階高調整ジャッキ１０を配置して、直上に位置する可変床５を仮支持し、該可変床５を支持していた床支持部材９を吊り材８から開放する。この後、階高調整ジャッキ１０を介して、直上の可変床５を所定の高さ位置まで揚重した後、前記吊り材８の所定位置に床支持部材９を嵌着して可変床５を支持させ、前記階高調整ジャッキ１０を撤去すればよい。
【００２０】
なお、前記階高調整ジャッキ１０は、必ずしも階高を変更したい階層に配置する必要はなく、その直下階に配置して階高を変更したい階層の可変床５を揚重する構成としても良い。
また、階高調整ジャッキ１０は必ずしも用いる必要はなく、前記床支持部材９に代わって可変床５を支持でき、該可変床５を上下方向に水平移動できるものであれば、何れを用いても良い。
さらに、本実施の形態では、前記可変床５の一辺に対してその両端部近傍を吊り支持するよう、２本の吊り材８が備えられているが、その位置や本数は必ずしもこれにこだわるものではなく、前記可変床５を水平に維持できる構成に吊り支持されれば、何れを用いても良い。
【００２１】
上述する構成によれば、可変階高式構造物１は、前記床支持部材９を吊り材８から取り外し、該吊り材８をガイドとして上下方向に前記可変床５を移動させた後、再度所望の高さ位置に床支持部材９を取り付けて可変床５を支持させるのみの簡略な構成で、所定の階層の直上階もしくは直下階の階高も変動してしまうものの、所定の階層の階高を自在に変更することが可能となる。
【００２２】
（第３の実施の形態）
上述する第１の実施の形態及び第２の実施の形態において、前記可変床５は、その平面視形状を前記構造躯体２の内断面と略同一形状に形成し、可変床５の外縁を、構造躯体２を構成する柱３の側面に当接させて、水平力が作用されても構造躯体２の内方を水平方向に移動することはない構成とした。しかし、必ずしもこれにこだわるものではなく、前記可変床５の平面視形状が、前記構造躯体２の内断面より小さい場合には、可変床５の端面を構造躯体２の柱３に接合する構成としても良い。以下に、可変床５と構造躯体２の柱３の接合構造を示す。
【００２３】
図２（ａ）に示すように、前記構造躯体２の柱３で、前記可変床５の端面と当接する側面３ａには、柱取合い部材１１が固着手段を介して固着されている。該柱取合い部材１１は、図２（ｂ）に示すように、前記柱３の側面３ａに面どうしで当接するフランジ１１ａと、該フランジ１１ａの一方の面に直交するように備えられているガセットプレート状の複数の貫通孔を備えたウェブ１１ｂを有している。本実施の形態では、該柱取合い部材１１にＴ型鋼を用いているが、必ずしもこれにこだわるものではなく、前記柱３の側面３ａに固着でき、これと直交して突出する複数の貫通孔を備えたガセットプレート状の板材を備えた構成であれば、何れを用いても良い。上述する柱取合い部材１１は、柱３の長さ方向に延在するように固定されている。
【００２４】
一方、可変床５は、図３に示すように、Ｈ形鋼よりなる可変梁６と、該可変梁６の上部に配置された床スラブ本体７により構成されており、前記可変梁６の端面には、Ｈ形鋼のウェブと同一平面を形成するガセットプレート状の床取合い部材１２が、突出するように一体的に固定されている。
なお、該床取合い部材１２は、必ずしもこれにこだわるものではなく、前記可変梁６の端面より突出し、端面に直交して鉛直状に立設して配置できるガセットプレート状の板材を備える構成であれば、何れを用いても良い。
また、可変床５は、必ずしも可変梁６と床スラブ本体７を有する構成である必要はなく、床材として構成でき、端面に前記床取合い部材１２を取り付け可能な構成であれば、何れを用いても良い。
【００２５】
該可変床５は、図３に示すように、前記構造躯体２の内方で所定の高さ位置に配置されており、前記床取合い部材１２を、前記柱３の側面３ａに備えられた柱取合い部材１１のウェブ１１ｂと面どうしで当接させて、両者をボルト等の締結手段１３を介して締結することにより、接合されている。これらは、前記可変床５の高さ位置を変更したい場合には、締結手段１３を開放するのみで可変床５を柱３に対して移動自在な構成とすることができるものである。
なお、前記柱取合い部材１１には、ウェブ１１ｂに締結手段１３を介して床受架台１４を締結し、該床受架台１４で可変床５の支持補強をすることも可能である。しかし、これらは必ずしも用いる必要はない。
【００２６】
上述する構成によれば、前記柱３と可変床５の接合構造が簡略であるため、所定の階層の階高を変更したい際にも、容易に可変床５を前記柱３から開放し移動できるとともに、移動後の所定の高さ位置で再度柱３に接合することができるため、第１の実施の形態及び第２の実施の形態で示した前記可変床５を吊り材８で吊り支持することにより階高の変更を容易とした可変階高式構造物１にも、その性能に支障をきたすことなく適用することが可能である。
【００２７】
（第４の実施の形態）
また、前記可変床５を吊り材８を介して吊り支持することにより、階高の変更を容易とした可変階高式構造物１は、前記可変床５の上下方向の移動範囲がほぼ制限されている場合には、前記可変床５を吊り材８を介して構造躯体２の柱３に吊り支持させることも考えられる。以下に、可変床５を吊り材８を介して構造躯体２の柱３に吊り支持させる可変階高式構造物１を示す。
なお、前記構造躯体２は、第１の実施の形態と同様の構成を有するものであり、前記可変床５は、Ｈ形鋼よりなる可変梁６と、該可変梁６の上部に配置された床スラブ本体７により構成されている。
【００２８】
図４に示すように、前記構造躯体２を構成する柱３の側面３ａには、可変床５の移動範囲の最下部にアンカ１５、最上部に第１の滑車１６の組み合わせが、鉛直方向同軸上に備えられており、少なくとも可変梁６の幅よりも大きい間隔をもって対をなして配置されている。
【００２９】
一方、前記可変床５を構成する可変梁６には、上フランジの上端面にフック１７、ウェブの端面近傍位置には、両面にスチフナー１８が備えられており、該スチフナー１８の外縁近傍には、前記可変梁６の断面より側方に突出する位置に、スチフナー１８に直交して前記可変梁の長さ方向に回転する第２の滑車１９が備えられている。なお、該第２の滑車１９の、可変梁６の断面より側方に突出する突出量は、前記可変床５の端面を、柱３の側面３ａで対をなす前記アンカ１５と第１の滑車１６の組み合わせの間に配置した際に、第２の滑車１９が、前記アンカ１５と鉛直方向同軸上に位置する長さに設定しておく。
【００３０】
該可変床５は、可変梁６が前記アンカ１５と第１の滑車１６の中間高さで、第２の滑車１９が、前記アンカ１５と鉛直方向同軸上に位置するように、前記柱３に対して配置されており、前記吊り材８が所定の張力量を保持した状態で、一端を前記フック１７に固定され、第１の滑車１６及び第２の滑車１９を経由して他端をアンカ１５に固定されることにより、前記柱３に吊り支持されている。
ここで、前記可変床５を吊り支持している吊り材８は、第１の実施の形態と同様の部材により構成されており、前記アンカ１５と第１の滑車１６の組み合わせ各々に備えられているとともに、例えば、前記フックに１７に連動して吊り材８を巻き取る巻き取り器のような、長さ方向の伸縮を制御できる伸縮調整機構８ａを有している。
【００３１】
このような構成の可変階高式構造物１は、前記吊り材８の部材長を伸縮調整機構８ａを介して伸長もしくは短縮することにより、前記アンカ１５の取り付け位置を最下部、第１の滑車１６の取り付け位置を最上部とする移動範囲内で、可変床５を所望の水平高さに容易に変更できる。したがって、所定の階層の階高を短縮したい際には、該階層の可変床５もしくは直上の可変床５を支持している前記吊り材８の部材長を伸縮調整機構８ａを介して短縮すれば良く、また、階高を伸長したい際には、該階層の可変床５もしくは直上の可変床５を支持している前記吊り材８の部材長を伸縮調整機構８ａを介して伸長すれば良い。
これにより、階高を変更したい階層の直上階もしくは直下階の階高も変動してしまうものの、簡略な構成で、所定の階層の階高を変更することが可能となる。
【００３２】
ところで、上述する構成は、前記可変床５が、吊り材８を介して構造躯体２の柱３に吊り支持されるのみでなく、所定量の緊張力を付与されている吊り材８が、前記第２の滑車１９に対して前記柱３の側面３ａに向かう水平力を発生することから、この水平力が、可変梁６の端面を前記柱３の側面３ａに押しつける押圧力となり、可変床５が、構造躯体２の内断面と同様の平面視形状を有する場合には、可変床５の端面が前記柱３に圧接される。したがって、可変床５に水平方向の力が作用した際にも、構造躯体２の内方で可変床５の水平方向の挙動を安定させることができるものである。
【００３３】
なお、本実施の形態では、前記可変床５を構成する可変梁６の端面を押し当てることにより、前記柱３の側面３ａを損傷させないことを目的に、両者の間に平板状の緩衝材２０を配置している。しかし、必ずしもこれにこだわるものではなく、例えば、前記可変床５の平面視形状が、前記構造躯体２の内断面より小さい場合には、可変梁６の端面と柱３の側面３ａとの離間距離に応じて対応できるくさび状の緩衝材２０を配置する構成とすれば、可変床５が、緩衝材２０を介して柱３の側面３ａの側面に圧接されるため、可変床５に水平方向の力が作用した際にも、前記構造躯体２の内方で可変床５の水平方向の挙動を安定させることができる。
【００３４】
また、本実施の形態では、前記フック１７を可変梁６の上フランジで両側部近傍に対をなして配置し、前記アンカ１５と第１の滑車１６の組み合わせ各々に備えられる吊り材８を交差した上で、一端をフック１７に固定するよう配置している。しかし、必ずしも上述する構成にこだわるものではなく、例えば、可変梁６の上フランジで中央部に１体の前記フック１７を配置し、対をなす吊り材８の両者の一端を固定する構成とするなど、前記可変床５に作用する押圧力をより効果的に作用させる構成であれば、何れを用いても良い。
【００３５】
上述する構成によれば、可変階高式構造物１は、可変床５を吊り支持している吊り材８の部材長を調整するのみの簡略な構成で、階高を変更したい階層の直上階もしくは直下階の階高も変動してしまうものの、所定の階層の階高を自在に変更することが可能となる。
また、前記吊り材８を介して、可変床５の端面は、前記柱３の側面３ａに圧接されることから、可変床５に水平方向の力が作用した際にも、構造躯体２の内方で水平方向に移動することはなく安定させることが可能となる。
【００３６】
【発明の効果】
請求項１記載の可変階高式構造物によれば、複数の柱、及び隣り合う柱の上端部どうしに架け渡される複数の頂部梁により構成される構造躯体と、該構造躯体の内方で、高さ方向に所定の離間間隔をもって水平に配置される複数の可変床と、該可変床を吊り支持するための吊り材とを備えてなり、前記可変床が、その直上に位置する可変床もしくは直上に位置する構造躯体の頂部梁に吊り材を介して吊り支持されるとともに、前記吊り材が、その部材長を伸縮調整自在に構成される。
【００３７】
これにより、可変階高式構造物は、階高を変更したい階層を構成している可変床を吊り支持している吊り材の部材長を調整するのみの簡略な構成で、階高を変更したい階層の下方に位置するすべての可変床が、連動してその水平レベルを上下方向の何れかに移動されるものの、所定の階層の階高を自在に変更することが可能となる。
【００３８】
請求項２記載の可変階高式構造物によれば、複数の柱、及び隣り合う柱の上端部どうしに架け渡される複数の頂部梁により構成される構造躯体と、該構造躯体の全高と同様の部材長を有し、所定の高さ位置に脱着可能な床支持部材が複数備えられた状態で、構造躯体を構成する梁の下面から鉛直下方に垂設される複数の吊り材と、前記構造躯体の内方で、高さ方向に所定の離間間隔をもって水平に配置され、吊り材の垂設位置と鉛直同軸位置に貫通孔が設けられている複数の可変床とを備えてなり、該可変床が、前記貫通孔に吊り材を挿通した状態で、その下面を前記床支持部材に支持される。
【００３９】
これにより、可変階高式構造物は、前記床支持部材を吊り材から取り外し、該吊り材をガイドとして上下方向に前記可変床を移動させた後、再度所望の高さ位置に床支持部材を取り付けて可変床を支持させるのみの簡略な構成で、所定の階層の直上階もしくは直下階の階高も変動してしまうものの、所定の階層の階高を自在に変更することが可能となる。
【００４０】
請求項３記載の可変階高式構造物は、前記可変床の端面と向かい合う前記構造躯体を構成する柱の側面には、該柱の長さ方向に延在し、側面に直交して突出するガセットプレートを備える柱取合い部材が設置されるとともに、前記可変床の端面で該柱の側面と向かい合う位置には、鉛直方向に立設するとともに、可変床の端面に直交して突出するガセットプレートを備える床取合い部材が設置されており、前記柱取合い部材及び床取り合い板が面どうしで当接するように、前記可変床を前記構造躯体の内方に配置し、両者を締結手段を介して締結する。
【００４１】
これにより、前記柱と可変床の接合構造が簡略であるため、所定の階層の階高を変更したい際にも、容易に可変床を前記柱から開放し移動できるとともに、移動後の所定の高さ位置で再度柱に接合することができるため、前記可変床を吊り材で吊り支持することにより階高の変更を容易とした可変階高式構造物にも、その性能に支障をきたすことなく適用することが可能である。
【００４２】
請求項４記載の可変階高式構造物は、複数の柱、及び隣り合う柱の上端部どうしに架け渡される複数の頂部梁により構成される構造躯体と、該構造躯体の内方で、高さ方向に所定の離間間隔をもって水平に複数配置され、隣り合う前記柱の側面に両端面を当接するように配置される複数の可変梁、及び複数の該可変梁の上部に配置される床スラブ本体により構成される可変床と、該可変床を吊り支持する吊り材とを備えてなり、前記柱の側面には、鉛直方向同軸上で上方に、側面と平行な方向に回転する第１の滑車、下方にアンカの組み合わせが、少なくとも前記可変梁の幅より大きい離間間隔をもって対をなして配置されるとともに、前記可変梁の端部近傍には、上端面にフック、両側面各々より水平に突出した位置には、前記可変梁の長さ方向に回転する第２の滑車が設置され、前記可変梁が、前記第１の滑車とアンカとの中間高さで、かつ第２の滑車が前記アンカと鉛直方向同軸上となる位置に配置された状態で、緊張力を付与された吊り材の一端が前記フックに固定され、第１の滑車及び第２の滑車を経由し、他端が前記アンカに固定されており、前記吊り材が、緊張力を一定に保持した状態で、その長さを伸縮調整自在に構成される。
【００４３】
これにより、可変階高式構造物は、可変床を吊り支持している吊り材の部材長を調整するのみの簡略な構成で、階高を変更したい階層の直上階もしくは直下階の階高も変動してしまうものの、所定の階層の階高を自在に変更することが可能となる。
また、前記吊り材を介して、可変床の端面は、前記柱の側面に圧接されることから、該可変床に水方向の力が作用した際にも、構造躯体の内方における可変床の水平方向の挙動を安定させることが可能となる。
【図面の簡単な説明】
【図１】本発明の可変階高式構造物の第１の実施の形態及び第２の実施の形態を示すものである。
【図２】本発明の可変階高式構造物の第３の実施の形態に示した柱に備えられた柱取り合い部材を示すものである。
【図３】本発明の可変階高式構造物の柱と可変床の接合構造を示すものである。
【図４】本発明の可変階高式構造物の第４の実施の形態を示すものである。
【符号の説明】
１  可変階高式構造物
２  構造躯体
３  柱
３ａ  側面
４  頂部梁
５  可変床
６  可変梁
７  床スラブ本体
８  吊り材
９  床支持部材
１０  階高調整ジャッキ
１１  柱取合い部材
１２  床取合い部材
１３  締結手段
１４  床受架台
１５  アンカ
１６  第１の滑車
１７  フック
１８  スチフナ
１９  第２の滑車
２０  緩衝材
【図１】
2004339745.tif 000003
【図２】
2004339745.tif 000004
【図３】
2004339745.tif 000005
【図４】
2004339745.tif 000006